(57)【特許請求の範囲】
【請求項１】
下部基枠体１に支柱２を介して下部基枠体１の上方に上部枠体３を取付けて枠体部４を形成し、且つ下部基枠体１内には水又は薬品水又は強酸性水等の手先等消毒液５を収納する容器体６を設けると共に下部基枠体１の上部に雫流導パイプ７を備えた雫受皿体８を取付け、且つ又雫受皿体８の上部に位置する上部枠体３に雫受皿体８との間に手先等の消毒部を挿入して消毒を行う挿入間隙部９を備えて手先等消毒液５を霧状噴霧する噴霧部１０を有したカバー体１１を設け、又更に挿入間隙部９に手先等の消毒部を挿入した際に枠体部４に備えた電源部１２と連通した第１感知スイッチ１３を介しての通電操作に伴いカバー体１１に備えた噴霧部１０より手先等消毒液５が数秒間に亘り自動的に霧状噴霧するように形成し、更にカバー体１１に設けた噴霧部１０よりの手先等消毒液５の霧状噴霧停止後に枠体部４に備えた電源部１２と連通した第２感知スイッチ１４を介しての通電操作に伴いカバー体１１に備えた温風噴出部１５より温風が自動的に噴出するように形成し、更に挿入間隙部９より手先等の消毒部を離脱するに伴って温風の噴出を停止するように形成し、又更にカバー体１１に殺菌灯１７を備え、且つ手先等の消毒部を挿入間隙部９に挿入した際に枠体部４に備えた電源部１２と連通した第３感知スイッチ１８を介しての通電操作に伴いカバー体１１に備えた殺菌灯１７が自動的に点灯するように形成し、更に挿入間隙部９より手先等の消毒部を離脱するに伴って殺菌灯１７の点灯を停止するように形成し、又カバー体１１に備えた殺菌灯１７が枠体部４に備えた電源部１２と連通した第２スイッチ部１９の切替えによる「開」「閉」操作に基づき消灯継続及び点灯継続が挿入間隙部９への手先等の消毒部の挿入に関係なくできるように形成し、且つ枠体部４に備えた電源部１２からの通電の「開」「閉」を行う手動用主スイッチ２０を設け、且又電源部１２を蓄電式電源部２１とすると共に蓄電式電源部２１からの通電が第３スイッチ部２２を介して行なわれるようにし、又電源部１２をソーラ電池式電源部２３とすると共にソーラ電池式電源部２３からの通電が第４スイッチ部２４を介して行なわれるようにし、又更に電源部１２をコンセント式電源部２５とすると共にコンセント式電源部２５からの通電が第５スイッチ部２６を介して行なわれるようにしたことを特徴とする噴霧式手先等消毒装置体。
【発明の詳細な説明】
【０００１】
【産業上の利用分野】
この発明は、病院、レストラン、遊戯場等において手先等の消毒部に簡便、迅速に消毒、殺菌処理を施すことができる噴霧式手先等消毒装置体に関するものである。
【０００２】
【従来の技術】
従来より病院、レストラン、遊戯場等において水道の蛇口を取付け、手先等の消毒部を水洗するようにしたものは知られている。
【０００３】
【発明が解決しようとする問題点】
ところが従来より知られている病院、レストラン、遊戯場等において水道の蛇口を取付け、手先等の消毒部を水洗するようにしたものは取付けるための工事が面倒であり、安価に取付けることが出来ず、更に手先等の消毒部を簡便、迅速に消毒、殺菌処理を施すことができない等の欠点があった。
【０００４】
この発明は上記の問題点を解決したもので、病院、レストラン、遊戯場等において極めて簡単な手段で手先等の消毒部を簡便、迅速に消毒、殺菌処理を施すことができると共に設置工事等の費用を極力少なくして安価に提供できるようにした噴霧式手先等消毒装置体を得ることを目的としたものである。
【０００５】
【問題点を解決するための手段】
上記の目的を達成するためこの発明は、下部基枠体１に支柱２を介して下部基枠体１の上方に上部枠体３を取付けて枠体部４を形成し、且つ下部基枠体１内には水又は薬品水又は強酸性水等の手先等消毒液５を収納する容器体６を設けると共に下部基枠体１の上部に雫流導パイプ７を備えた雫受皿体８を取付け、且つ又雫受皿体８の上部に位置する上部枠体３に雫受皿体８との間に手先等の消毒部を挿入して消毒を行う挿入間隙部９を備えて手先等消毒液５を霧状噴霧する噴霧部１０を有したカバー体１１を設け、又更に挿入間隙部９に手先等の消毒部を挿入した際に枠体部４に備えた電源部１２と連通した第１感知スイッチ１３を介しての通電操作に伴いカバー体１１に備えた噴霧部１０より手先等消毒液５が数秒間に亘り自動的に霧状噴霧するように形成したものである。
【０００６】
又、カバー体１１に設けた噴霧部１０よりの手先等消毒液５の霧状噴霧停止後に枠体部４に備えた電源部１２と連通した第２感知スイッチ１４を介しての通電操作に伴いカバー体１１に備えた温風噴出部１５より温風が自動的に噴出するように形成し、更に挿入間隙部９より手先等の消毒部を離脱するに伴って温風の噴出を停止するように形成したものである。
【０００７】
又、カバー体１１に殺菌灯１７を備え、且つ手先等の消毒部を挿入間隙部９に挿入した際に枠体部４に備えた電源部１２と連通した第３感知スイッチ１８を介しての通電操作に伴いカバー体１１に備えた殺菌灯１７が自動的に点灯するように形成し、更に挿入間隙部９より手先等の消毒部を離脱するに伴って殺菌灯１７の点灯を停止するように形成したものである。
【０００８】
又、カバー体１１に備えた殺菌灯１７が枠体部４に備えた電源部１２と連通した第２スイッチ部１９の切替えによる「開」「閉」操作に基づき消灯継続及び点灯継続が挿入間隙部９への手先等の消毒部の挿入に関係なくできるように形成したものである。
【０００９】
又、枠体部４に備えた電源部１２からの通電の「開」「閉」を行う手動用主スイッチ２０を設けたものである。
【００１０】
又、枠体部４に備えた電源部１２を蓄電式電源部２１とすると共に蓄電式電源部２１からの通電が第３スイッチ部２２を介して行なわれるようにしたものである。
【００１１】
又、枠体部４に備えた電源部１２をソーラ電池式電源部２３とすると共にソーラ電池式電源部２３からの通電が第４スイッチ部２４を介して行なわれるようにしたものである。
【００１２】
又、枠体部４に備えた電源部１２をコンセント式電源部２５とすると共にコンセント式電源部２５からの通電が第５スイッチ部２６を介して行なわれるようにしたものである。
【００１３】
【実施例】
以下図面についてこの発明の実施例を説明すると、下部基枠体１に支柱２を介して下部基枠体１の上方に上部枠体３を取付けて枠体部４を形成し、且つ下部基枠体１内には水又は薬品水又は強酸性水等の手先等消毒液５を収納する容器体６を設けると共に下部基枠体１の上部に雫流導パイプ７を備えた雫受皿体８を取付け、且つ又雫受皿体８の上部に位置する上部枠体３に雫受皿体８との間に手先等の消毒部を挿入して消毒を行う挿入間隙部９を備えて手先等消毒液５を霧状噴霧する噴霧部１０を有したカバー体１１を設け、又更に挿入間隙部９に手先等の消毒部を挿入した際に枠体部４に備えた電源部１２と連通し、噴霧部１０に設けた第１感知スイッチ１３を介しての通電操作に伴いカバー体１１に備えた噴霧部１０より手先等消毒液５が数秒間に亘り適宜の機構を介して自動的に霧状噴霧するように形成したものであるが、噴霧部１０よりの霧状噴霧は図示したものでは第１感知スイッチ１３の操作に伴ってポンプ通電コード３４を介し容器体６内に備えたポンプ２７が数秒間に亘り作動し、第１パイプ２８を介して手先等消毒液５を噴霧部１０に圧送して霧状噴霧するものである。
【００１４】
又、雫受皿体８に取付けた雫流導パイプ７から流れる雫は容器体６に着脱できるように取付けた補助容器体３３に流れると共に溜まった雫は容器体６より補助容器体３３を外して適宜捨てるものである。
【００１５】
又、カバー体１１に設けた噴霧部１０よりの手先等消毒液５の霧状噴霧停止後に枠体部４に備えた電源部１２と連通し、カバー体１１に備えた温風噴出部１５に設けた第２感知スイッチ１４を介しての通電操作に伴いカバー体１１に備えた温風噴出部１５より温風発生器３６を介して温風が自動的に噴出するように形成し、更に挿入間隙部９より手先等の消毒部を離脱するに伴って第２感知スイッチ１４が作動し温風の噴出を停止するように形成したものである。
【００１６】
又、カバー体１１に備えた温風噴出部１５に設けた第２感知スイッチ１４を介しての通電操作に伴いカバー体１１に備えた温風噴出部１５より噴出する温風は枠体部４に備えた電源部１２と連通し、上部枠体３に取付けた第１スイッチ部１６を介しての手動による通電操作に伴い温風通路に備えた適宜構造のマイナスイオン化発生器が作動してマイナスイオン化した温風が噴出するようにしたものであるが、必ずしも第１スイッチ部１６を介してのマイナスイオン化発生器の作動とは限らず温風通路に例えばマイナスイオン化する素材を備えた通路とマイナスイオン化する素材を備えていない通路とを設けて温風の通過経路を適宜の手段で切替えてマイナスイオン化した温風又はマイナスイオン化していない温風を温風噴出部１５より噴出することも可能である。
【００１７】
又、カバー体１１に殺菌灯１７を備え、且つ手先等の消毒部を挿入間隙部９に挿入した際に枠体部４に備えた電源部１２と連通し、カバー体１１に取付けた第３感知スイッチ１８を介しての通電操作に伴いカバー体１１に備えた殺菌灯１７が自動的に点灯するように形成し、更に挿入間隙部９より手先等の消毒部を離脱するに伴って殺菌灯１７の点灯を停止するように形成したものである。
【００１８】
又、カバー体１１に備えた殺菌灯１７が枠体部４に備えた電源部１２と連通し、上部枠体３に取付けた第２スイッチ部１９の切替えによる「開」「閉」操作に基づき継続した消灯及び継続した点灯が、挿入間隙部９への手先等の消毒部の挿入に関係なくできるように形成したものである。
【００１９】
又、枠体部４に備えた電源部１２からの通電の「開」「閉」を行う手動用主スイッチ２０を上部枠体３に設け、該手動用主スイッチ２０による通電の「開」  「閉」は枠体部４に備えた下記の蓄電式電源部２１とソーラ電池式電源部２３とコンセント式電源部２５からの通電コード３７を経ての通電を制御部３５を介して行われるようにしたものである。
【００２０】
又、枠体部４に備えた電源部１２を適宜充電できる蓄電式電源部２１とすると共に蓄電式電源部２１からの通電が上部枠体３に設けた第３スイッチ部２２を介して行なわれるようにしたものである。
【００２１】
又、枠体部４に備えた電源部１２をソーラ電池式電源部２３とすると共にソーラ電池式電源部２３からの通電が上部枠体３に設けた第４スイッチ部２４を介して行なわれるようにしたものであり、且つ図示したソーラ電池式電源部２３はコード接続部３８とコード３２を介して連通した太陽電池モジュール部２９と上部枠体３内に装着した太陽電池蓄電池３０とコントローラー体３１とより成るものである。
【００２２】
又、枠体部４に備えた電源部１２を病院、レストラン、遊戯場等に備えたコンセントにプラグをさしこんで通電することができるコンセント式電源部２５とすると共にコンセント式電源部２５からの通電が上部枠体３に設けた第５スイッチ部２６を介して行なわれるようにしたものである。
【００２３】
【発明の作用効果】
この発明は以上のような構成であり、病院、レストラン、遊戯場等に装着して手先等の消毒部を簡便、迅速に消毒、殺菌処理を施すことができると共に配水管等の工事を必要とせず、更に電灯線がない場所での使用も容易で安価に提供できるようにしたものである。
【００２４】
ところで、下部基枠体１に支柱２を介して下部基枠体１の上方に上部枠体３を取付けて枠体部４を形成し、且つ下部基枠体１内には水又は薬品水又は強酸性水等の手先等消毒液５を収納する容器体６を設けると共に下部基枠体１の上部に雫流導パイプ７を備えた雫受皿体８を取付け、且つ又雫受皿体８の上部に位置する上部枠体３に雫受皿体８との間に手先等の消毒部を挿入して消毒を行う挿入間隙部９を備えて手先等消毒液５を霧状噴霧する噴霧部１０を有したカバー体１１を設け、又更に挿入間隙部９に手先等の消毒部を挿入した際に枠体部４に備えた電源部１２と連通した第１感知スイッチ１３を介しての通電操作に伴いカバー体１１に備えた噴霧部１０より手先等消毒液５が数秒間に亘り自動的に霧状噴霧するように形成したことによって手先又は頭部等の消毒部が噴霧部１０より霧状噴霧した手先等消毒液５で消毒することができるものである。
【００２５】
又、カバー体１１に設けた噴霧部１０よりの手先等消毒液５の霧状噴霧停止後に枠体部４に備えた電源部１２と連通した第２感知スイッチ１４を介しての通電操作に伴いカバー体１１に備えた温風噴出部１５より温風が自動的に噴出するように形成したことによって手先等消毒液５で濡れた手先等の消毒部を乾かすことができるものであり、更に挿入間隙部９より手先等の消毒部を離脱するに伴って温風の噴出を停止するように形成したので無駄な温風の噴出がなく、温風を発生するための電気代を節減すると共に温風の噴出を自動的に停止するために面倒な操作を必要とせず、又更に温風の噴出、停止をするために消毒した手先をスイッチ操作の為に汚損することがなく消毒部を衛生的に保持できるものである。
【００２６】
又、カバー体１１に殺菌灯１７を備え、且つ手先等の消毒部を挿入間隙部９に挿入した際に枠体部４に備えた電源部１２と連通した第３感知スイッチ１８を介しての通電操作に伴いカバー体１１に備えた殺菌灯１７が自動的に点灯するように形成したので殺菌消毒の効果を助長するものであると共に挿入間隙部９より手先等の消毒部を離脱するに伴って殺菌灯１７の点灯を停止するように形成したので殺菌灯１７の点滅に際して手先を汚損することがなく衛生的である。
【００２７】
又、カバー体１１に備えた殺菌灯１７が枠体部４に備えた電源部１２と連通した第２スイッチ部１９の切替えによる「開」「閉」操作に基づき消灯継続及び点灯継続が挿入間隙部９への手先等の消毒部の挿入に関係なくできるように形成したので長期に亘り殺菌灯１７を点灯した状態を持続して周囲の機器の殺菌を行って殺菌操作をより確実にするものである。
【００２８】
又、枠体部４に備えた電源部１２からの通電の「開」「閉」を行う手動用主スイッチ２０を設けたものであり、手動用主スイッチ２０によって電源部１２からの全ての通電器材に対する通電が妄りに行われることがなく安全に使用出来るものである。
【００２９】
又、電源部１２を蓄電式電源部２１とすると共に蓄電式電源部２１からの通電が第３スイッチ部２２を介して行なわれるようにしたものであり、又、電源部１２をソーラ電池式電源部２３とすると共にソーラ電池式電源部２３からの通電が第４スイッチ部２４を介して行なわれるようにしたものであり、又、電源部１２をコンセント式電源部２５とすると共にコンセント式電源部２５からの通電が第５スイッチ部２６を介して行なわれるようにしたので設置場所に応じて電源部１２からの通電を最も適した手段で行うことができて設置するための特別の出費を必要とせず使用上極めて好都合である。
【００３０】
以上のようにこの発明は病院、レストラン、遊戯場等に装着して手先等の消毒部を簡便、迅速に消毒、殺菌処理を施すことができると共に配水管等の工事その他電源確保のため工事等を必要とせず、更に電灯線がない場所での使用も容易で安価に提供できる等の幾多の産業的作用効果を奏するものである。
【図面の簡単な説明】
【図１】この発明の全体斜視図である。
【図２】上部枠体に取付けた状態を示したカバー体の断面図である。
【図３】カバー体を底部から見た底面図である。
【図４】枠体部の下方を切欠した一部切欠断面図である。
【図５】枠体部の下方を切欠した一部切欠側面図である。
【図６】枠体部の上部を切欠した一部切欠側面図である。
【図７】太陽電池モジュール部の上面図である。
【符号の説明】
１  下部基枠体
２  支柱
３  上部枠体
４  枠体部
５  手先等消毒液
６  容器体
７  雫流導パイプ７
８  雫受皿体
９  挿入間隙部
１０  噴霧部
１１  カバー体
１２  電源部
１３  第１感知スイッチ
１４  第２感知スイッチ
１５  温風噴出部
１６  第１スイッチ部
１７  殺菌灯
１８  第３感知スイッチ
１９  第２スイッチ部
２０  手動用主スイッチ
２１  蓄電式電源部
２２  第３スイッチ部
２３  ソーラ電池式電源部
２４  第４スイッチ部
２５  コンセント式電源部
２６  第５スイッチ部
２７  ポンプ
２８  第１パイプ
２９  太陽電池モジュール部
３０  太陽電池蓄電池
３１  コントローラー体
３２  コード
３３  補助容器体
３４  ポンプ通電コード
３５  制御部
３６  温風発生器
３７  通電コード
３８  コード接続部
【図１】
0003638912.tif 000002
【図２】
0003638912.tif 000003
【図３】
0003638912.tif 000004
【図４】
0003638912.tif 000005
【図５】
0003638912.tif 000006
【図６】
0003638912.tif 000007
【図７】
0003638912.tif 000008